(57)【要約】【課題】無線通話と会話の両方の聞き取りの困難性を解決し、手動操作をする必要なしに、無線通話よりも会話を優先とすることができる無線通信装置を提供する。【解決手段】無線送信するための音声を音声信号に変換するマイクロホンと、前記マイクロホンからの音声信号に従って搬送波信号を変調することで無線信号を発生して無線送信する変調送信手段と、受信される無線信号を受信して、受信した無線信号を音声信号に復調する受信復調手段とを備えた無線通信装置において、無線送信を行っていないときに前記マイクロホンに入力される音声信号を検出し、前記検出された音声信号のレベルが所定のしきい値以上である否かを判断する検出手段と、前記検出手段が前記音声信号のレベルが所定のしきい値以上であると判断したとき、前記復調された音声信号を所定時間ミュートさせる制御手段とを備える。【選択図】図３
2019195118.tif 000002
【特許請求の範囲】
【請求項１】
無線送信するための音声を音声信号に変換するマイクロホンと、
前記マイクロホンからの音声信号に従って搬送波信号を変調することで無線信号を発生して無線送信する変調送信手段と、
受信される無線信号を受信して、受信した無線信号を音声信号に復調する受信復調手段とを備えた無線通信装置において、
無線送信を行っていないときに前記マイクロホンに入力される音声信号を検出し、前記検出された音声信号のレベルが所定のしきい値以上である否かを判断する検出手段と、
前記検出手段が前記音声信号のレベルが所定のしきい値以上であると判断したとき、前記復調された音声信号を所定時間ミュートさせる制御手段とを備えたことを特徴とする無線通信装置。
【請求項２】
前記制御手段が無線受信される音声信号をミュートさせるときに、前記制御手段は、当該無線通信装置がミュート中であることを示す所定の第１の音声信号を発生することを特徴とする請求項１記載の無線通信装置。
【請求項３】
前記制御手段が無線受信される音声信号をミュートさせるときに、前記制御手段は、当該無線通信装置の通信相手先に対して、
（１）当該無線通信装置によるミュートの開始時を示す所定の第２の音声信号と、
（２）当該無線通信装置によるミュートの終了時を示す所定の第３の音声信号と
のうちの少なくとも一方を無線送信することを特徴とする請求項１記載の無線通信装置。
【請求項４】
前記制御手段が無線受信される音声信号をミュートさせるときに、前記制御手段は、当該無線通信装置の通信相手先からの無線送信の音声信号を受信したとき、当該音声信号の受信を示す所定の第４の音声信号を発生することを特徴とする請求項１〜３のうちのいずれか１つに記載の無線通信装置。
【請求項５】
前記制御手段が無線受信される音声信号をミュートさせるときに、前記制御手段は、当該無線通信装置の通信相手先からの無線送信の音声信号を受信した後当該受信の終了時に、当該無線通信装置の通信相手先に当該無線通信装置がミュート中であることを示す所定の第５の音声信号を無線送信することを特徴とする請求項１〜４のうちのいずれか１つに記載の無線通信装置。
【請求項６】
前記検出手段が前記マイクロホンに入力される音声信号を検出したとき、前記制御手段は、当該検出した音声信号を当該無線通信装置のスピーカ又はイヤホンに出力することを特徴とする請求項１〜５のうちのいずれか１つに記載の無線通信装置。
【発明の詳細な説明】
【技術分野】
【０００１】
本発明は、無線通信装置に関する。
【背景技術】
【０００２】
図１は従来例に係る、会話と無線通話との関係に関する問題点を示すための概略模式図である。図１において、無線通信装置Ｂの使用者Ｑが、無線通信装置Ａの使用者Ｐからの無線通話受信を行うことと、他の会話相手Ｒと会話（例えば接客など）を行うこととが同時に発生する場合がある。このシチュエーションは、例えばホテルのコンセルジュ、もしくは居酒屋の店員が顧客と会話中に、例えば業務連絡の無線受信音声を受ける場合（もしくは、その逆パターン）において頻発する。
【先行技術文献】
【特許文献】
【０００３】
【特許文献１】特開２０１５−０９１１２０号公報
【発明の概要】
【発明が解決しようとする課題】
【０００４】
図１の場合において、無線通信装置Ｂの使用者Ｑは無線通話と会話の両方の聞き取りが困難になる。ここで、基本的に対面への対応が優先されるため、無線通信装置Ｂの使用者Ｑは会話相手Ｒとの会話を優先し、以下のいずれかの手動の操作対応を行う必要があるという問題点があった。
（１）無線通信装置Ｂの音量を手動操作で消音に変更する。
（２）無線通信装置Ｂの電源を手動操作でオフする。
（３）無線通信装置Ｂの内蔵スピーカを耳から遠ざけるか、もしくは外部イヤホンを耳からはずす。
【０００５】
また、特許文献１では、ネットワークを用いた音声通信において、使用形態に応じて音声出力の形態を切り換えることのできる音声通信端末装置を提供することが開示されている。当該音声通信端末装置は、外部マイクおよび外部イヤホンが接続される周辺機器接続部と、マイクから入力された音声をネッワーク通信部に入力する送信回路と、ネットワーク通信部が受信した音声信号をスピーカに出力する受信回路と、送信回路をオン／オフするＰＴＴスイッチとを備える。また、周辺機器接続部に周辺機器が接続されない状態でＰＴＴスイッチが操作されたとき、送信回路をオンするとともに受信回路から出力される音声信号を無音にし、周辺機器接続部に外部マイクおよび外部イヤホンが接続された状態で外部マイクから入力される音声のレベルが一定レベルを超えたとき、受信回路をオンしたままで前記送信回路をオンする制御部を備える。
【０００６】
すなわち、特許文献１に開示された音声通信端末装置は、外部マイクから入力される音声のレベルが一定レベルを超えたとき、受信回路をオンしたままで前記送信回路をオンするという、いわゆる、音声を感知すると自動で送信状態になる「ＶＯＸ機能」のみが開示されており、上述の問題点を解決することができない。
【０００７】
本発明の目的は以上の問題点を解決し、上述の手動操作をする必要がない、無線通話よりも会話を優先とすることができる無線通信装置を提供することにある。
【課題を解決するための手段】
【０００８】
本発明の一態様に係る無線通信装置は、
無線送信するための音声を音声信号に変換するマイクロホンと、
前記マイクロホンからの音声信号に従って搬送波信号を変調することで無線信号を発生して無線送信する変調送信手段と、
受信される無線信号を受信して、受信した無線信号を音声信号に復調する受信復調手段とを備えた無線通信装置において、
無線送信を行っていないときに前記マイクロホンに入力される音声信号を検出し、前記検出された音声信号のレベルが所定のしきい値以上である否かを判断する検出手段と、
前記検出手段が前記音声信号のレベルが所定のしきい値以上であると判断したとき、前記復調された音声信号を所定時間ミュートさせる制御手段とを備えたことを特徴とする。
【０００９】
前記無線通信装置において、前記制御手段が無線受信される音声信号をミュートさせるときに、前記制御手段は、当該無線通信装置がミュート中であることを示す所定の第１の音声信号を発生することを特徴とする。
【００１０】
また、前記無線通信装置において、前記制御手段が無線受信される音声信号をミュートさせるときに、前記制御手段は、当該無線通信装置の通信相手先に対して、
（１）当該無線通信装置によるミュートの開始時を示す所定の第２の音声信号と、
（２）当該無線通信装置によるミュートの終了時を示す所定の第３の音声信号と
のうちの少なくとも一方を無線送信することを特徴とする。
【００１１】
さらに、前記無線通信装置において、前記制御手段が無線受信される音声信号をミュートさせるときに、前記制御手段は、当該無線通信装置の通信相手先からの無線送信の音声信号を受信したとき、当該音声信号の受信を示す所定の第４の音声信号を発生することを特徴とする。
【００１２】
またさらに、前記無線通信装置において、前記制御手段が無線受信される音声信号をミュートさせるときに、前記制御手段は、当該無線通信装置の通信相手先からの無線送信の音声信号を受信した後当該受信の終了時に、当該無線通信装置の通信相手先に当該無線通信装置がミュート中であることを示す所定の第５の音声信号を無線送信することを特徴とする。
【００１３】
またさらに、前記無線通信装置において、前記検出手段が前記マイクロホンに入力される音声信号を検出したとき、前記制御手段は、当該検出した音声信号を当該無線通信装置のスピーカ又はイヤホンに出力することを特徴とする。
【発明の効果】
【００１４】
従って、本発明に係る無線通信装置によれば、上述の手動操作をする必要がない、無線通話よりも会話を優先とすることができる無線通信装置を提供することができる。
【図面の簡単な説明】
【００１５】
【図１】従来例に係る問題点を示すための概略模式図である。
【図２】実施形態１に係る前記問題点を解決する方法を示す概略模式図である。
【図３】実施形態１に係る無線通信装置の構成例を示すブロック図である。
【図４】図３の無線通信装置の制御部１０により実行される装置制御処理を示すフローチャートである。
【図５】実施形態２（実施形態３〜６にも適用）に係る無線通信装置の構成例を示すブロック図である。
【図６】図５の無線通信装置の制御部１０Ａにより実行される装置制御処理を示すフローチャートである。
【図７Ａ】実施形態３に係る無線通信装置の制御部１０Ａにより実行される装置制御処理の第１の部分を示すフローチャートである。
【図７Ｂ】実施形態３に係る無線通信装置の制御部１０Ａにより実行される装置制御処理の第２の部分を示すフローチャートである。
【図８Ａ】実施形態４に係る無線通信装置の制御部１０Ａにより実行される装置制御処理の第１の部分を示すフローチャートである。
【図８Ｂ】実施形態４に係る無線通信装置の制御部１０Ａにより実行される装置制御処理の第２の部分を示すフローチャートである。
【図９】実施形態５に係る無線通信装置の制御部１０Ａにより実行される装置制御処理を示すフローチャートである。
【図１０】実施形態６に係る無線通信装置の制御部１０Ａにより実行される装置制御処理を示すフローチャートである。
【発明を実施するための形態】
【００１６】
以下、本発明に係る実施形態について図面を参照して説明する。なお、以下の各実施形態において、同様の構成要素については同一の符号を付している。
【００１７】
（実施形態１）
図２は実施形態１に係る前記問題点を解決する方法を示す概略模式図である。図２に示すように、無線通信装置Ｂの使用者Ｑが、無線通信装置Ａの使用者Ｐからの無線通話受信を行うことと、他の会話相手Ｒと会話（例えば接客など）を行うこととが同時に発生する場合において、無線通信装置Ｂが無線送信を行っていないときに本来は無線送信で使うマイクロホンを用いて、当該マイクロホンに入力される音声信号が所定のしきい値以上である否かを判断することにより会話の有無を判断し、会話中の場合は無線通話による受信音声をミュートさせることを特徴としている。ここで、「ミュート」とは完全に消音すること、もしくは、出力音声を低減することを含む。これにより、無線通信装置Ｂの使用者Ｑは自動的に会話のみを聞き取ることが容易となる。
【００１８】
図３は実施形態１に係る無線通信装置の構成例を示すブロック図である。
【００１９】
図３において、制御部１０は内部メモリ１０ｍを有し、無線通信装置内の各部２，３，８，の動作を制御する。内部メモリ１０ｍは、後述するミュートタイマーカウントの計数値、無線受信中にミュートオンであるか否かを示すフラグ（実施形態４）を格納するレジスタを有する。制御部１０には、押下することで無線送信を開始して話し始めるためのプッシュ・ツー・トークキー（以下、ＰＴＴキーという）１１Ａを含む操作部１１が接続される。当該無線通信装置の使用者がＰＴＴキー１１Ａを押下したとき、当該無線通信装置は無線送信状態になり、押下していないときに無線受信状態になる。
【００２０】
無線受信状態において、アンテナ１により受信された無線信号は受信復調部２に入力される。受信復調部２は受信された無線信号を復調することで音声信号を生成して音声遮断・通過切替部３に出力する。音声遮断・通過切替部３は受信音声のミュート制御部を構成し、制御部１０からの制御信号に基づいて、入力される音声信号を遮断する（ミュートさせる）か、もしくは通過させるかを選択的に切り替える。後者のときは、音声遮断・通過切替部３は通過させた音声信号を音声信号増幅部４を介して外部イヤホン５に出力することで、受信した音声信号の音声を出力する。ここで、外部イヤホン５は本体内蔵のスピーカであってもよい。
【００２１】
マイクロホン６に入力される音声は音声信号に変換された後、音声信号増幅部７を介して変調送信部８に入力されるとともに音声検出部１３に入力される。無線送信状態において、変調送信部８は入力される音声信号に従って所定の搬送波信号を変調することで無線信号を生成してアンテナ９に出力することで、当該無線信号を相手先の無線通信装置に放射する。音声検出部１３は入力される音声信号のレベルが所定のしきい値以上であるか否かを判断し、しきい値以上であるときに所定の検出信号を制御部１０に出力する。制御部１０は、検出信号に応答して、無線通信装置の使用者が他の会話相手と会話中であると判断して無線通話による受信音声をミュートさせるように、音声遮断・通過切替部３を制御する。
【００２２】
図４は図３の無線通信装置の制御部１０により実行される装置制御処理を示すフローチャートである。
【００２３】
図４のステップＳ１において、ＰＴＴキー１１Ａによる無線送信待ちであって、通話の音声信号で変調された無線信号の入感による受信待ち、もしくは無線信号の入感による受信中の状態であり、内部メモリ１０ｍのミュートタイマーカウントを０にリセットする。次いで、ステップＳ２において、ＰＴＴキー１１Ａがオンされたか否かが判断され、ＹＥＳのときはステップＳ３に進む一方、ＮＯのときはステップＳ６に進む。ステップＳ３では、無線送信を開始し、ステップＳ４でＰＴＴキー１１Ａがオンであるか否かが判断され、ＮＯとなったときにステップＳ５において無線送信を終了させ、ステップＳ２に戻る。
【００２４】
ステップＳ６においてマイクロホン６に音声が入力されているか否かが判断され、すなわち、音声検出部１３が音声信号を出力したか否かが判断され、ＹＥＳのときはステップＳ１０に進む一方、ＮＯのときはステップＳ７に進む。ステップＳ７では、ミュートタイマーカウントの計数値が０であるか否かが判断され、ＹＥＳのときはステップＳ８に進む一方、ＮＯのときはステップＳ９に進む。ステップＳ１０では、ミュートタイマーカウントの計数値に、ミュート保持時間（例えば３秒〜１０秒）に対応するデータ値をセットした後、ステップＳ１１において受信音声のミュートをオンにするように音声遮断・通過切替部３を制御し、ステップＳ２に戻る。一方、ステップＳ８では、受信音声のミュートをオフするように音声遮断・通過切替部３を制御してステップＳ２に戻る。ステップＳ９では、ミュートタイマーカウントの計数値を１だけデクリメントしてステップＳ２に戻る。
【００２５】
なお、上記ミュート保持時間においてミュートが保持されるが、その後も会話中であれば、ミュートタイマーカウントの計数値に、ミュート保持時間（例えば３秒〜１０秒）に対応するデータ値を再びセットして、ミュート保持時間が継続される。
【００２６】
以上説明したように、図４の装置制御処理により、無線送信していないときに、使用者の会話の有無を検出するために、マイクロホン６に入力される音声信号のレベルが所定のしきい値以上である場合に、無線通信装置の使用者が会話相手と会話中であると判断して、例えば接客等の会話優先モードで自動的に、無線受信する音声信号をミュートする。これにより無線通信装置の使用者は自動的に、会話相手との会話のみを聞き取ることが容易となる。
【００２７】
本実施形態によれば、特に、無線受信しているときに通常では使用していないマイクロホン６を有効に活用して、その使用者の会話音声を検出する。これにより、例えばホテルのコンセルジュ、もしくは居酒屋の店員が顧客と会話中に、例えば業務連絡の無線受信音声を受ける場合（もしくは、その逆パターン）において、受信音声を自動的にミュートすることができ、手動操作で例えば
（１）無線通信装置Ｂの音量を手動操作で消音に変更し、
（２）無線通信装置Ｂの電源を手動操作でオフし、もしくは
（３）無線通信装置Ｂの内蔵スピーカを耳から遠ざけるか、もしくは外部イヤホンを耳からはずす
などの手動操作する必要が無いので、無線通信装置の操作性を大幅に向上できる。
【００２８】
（実施形態２）
図５は実施形態２（実施形態３〜６にも適用）に係る無線通信装置の構成例を示すブロック図である。図５の無線通信装置は、図３の無線通信装置に比較して以下のように異なる。
（１）制御部１０に代えて、制御部１０Ａを備えた。
（２）音声遮断・通過切替部３と音声信号増幅部４との間に、出力音声切替部２１を挿入した。
（３）音声信号増幅部７と変調送信部８との間に、変調音声切替部２４を挿入した。
（４）音声信号発生部２２と、自声モニター切替部２３をさらに備えた。
以下、前記相違点について説明する。
【００２９】
自声モニター切替部２３は、制御部１０Ａからの制御信号に基づいて、音声信号増幅部７からのマイクロホン６により検出した、当該無線通信装置の使用者の会話音声等を含む音声信号を出力音声切替部２１に出力するか否かを選択的に切り替える。ここで、「自声」とは自分の声という意味で、当該無線通信装置の使用者自身の声を意味し、それを当該無線通信装置でモニターするものであり、自声モニター切替部２３は、当該音声信号を出力音声切替部２１及び音声信号増幅部４を介して外部イヤホン５に出力することで自声モニターオンとなり、当該無線通信装置の使用者は、自分及び会話相手の音声を外部イヤホン５で聞くことができる。
【００３０】
音声信号発生部２２は、制御部１０Ａからの制御信号に基づいて、所定の意義（後述）を表す種々の音声信号（ビープ音等の別の可聴信号（音声信号）でもよい）を発生して出力音声切替部２１及び変調音声切替部２４に出力する。出力音声切替部２１は、制御部１０Ａからの制御信号に基づいて、音声遮断・通過切替部３からの受信音声信号と、自声モニター切替部２３からの当該無線通信装置の使用者の会話音声等を含む音声信号と、音声信号発生部２２からの種々の音声信号又はビープ音とのうちいずれか１つを選択して音声信号増幅部４を介して外部イヤホン５に出力する。なお、外部イヤホン５は本体内蔵のスピーカであってもよい。
【００３１】
変調音声切替部２４は、制御部１０Ａからの制御信号に基づいて、音声信号増幅部７からの音声信号と、音声信号発生部２２からの種々の音声信号又はビープ音とのうちのいずれか１つを選択して変調送信部８に出力する。
【００３２】
図６は図５の無線通信装置の制御部１０Ａにより実行される装置制御処理を示すフローチャートである。図６の装置制御処理は、図４の装置制御処理に比較して以下の点が異なる。
（１）ステップＳ１０の後段において、ステップＳ２１の処理を挿入した。
（２）ステップＳ２１でＮＯのときに、ステップＳ２２の処理を挿入した。
以下、前記相違点について詳述する。
【００３３】
図６において、ステップＳ２１において、受信音声のミュートがすでにオンであるか否かが判断され、ＹＥＳのときはステップＳ１１に進む一方、ＮＯのときはステップＳ２２に進む。ステップＳ２２では、音声信号発生部２２は、ミュートオンとなり無線通話ができないことを当該無線通信装置の使用者に伝えるために、音声信号発生部２２によりミュートオンを示す所定の音声信号を発生して、出力音声切替部２１及び音声信号増幅部４を介して外部イヤホン５に出力する。そして、ステップＳ１１に進む。
【００３４】
以上説明したように、実施形態２によれば、当該無線通信装置がミュートオン（会話中）となり、無線通話が出来ないことを当該無線通信装置の使用者に伝えるため、ミュートオンになったことを、ミュートオンを示す音声信号で伝えることができる。
【００３５】
（実施形態３）
図７Ａ及び図７Ｂは実施形態３に係る無線通信装置の制御部１０Ａにより実行される装置制御処理を示すフローチャートである。図７Ａ及び図７Ｂの装置制御処理は、図４の装置制御処理に比較して以下の点が異なる。なお、装置のブロック図は図５の構成を用いる。
（１）図４のステップＳ１に代えて、「無線通話入感による受信中」を除外したステップＳ１Ａを挿入した。
（２）図７ＡのステップＳ８，Ｓ９，Ｓ１１の後段に、ステップＳ３１の処理を挿入した。
（３）図７ＡのステップＳ３１でＹＥＳのとき実行する、図７ＢのステップＳ４１の処理を挿入した。
（４）図７ＢのステップＳ４１でＹＥＳのとき実行する、ステップＳ４２の処理を挿入した。
（５）図７ＢのステップＳ３２〜Ｓ４０までの受信制御処理を追加した。
以下、前記相違点について詳述する。
【００３６】
図７ＡのステップＳ３１において、無線通話の無線信号が入感しているか否かが判断され、ＹＥＳのときは図７ＢのステップＳ４１に進む一方、ＮＯのときは図７ＡのステップＳ２に戻る。ステップＳ４１において、ミュートがオンされているか否かが判断され、ＹＥＳのときはステップＳ４２に進む一方、ＮＯのときはステップＳ３２に進む。ステップＳ４２では、音声信号発生部２２は、相手先の無線通信装置から着信有り（受信）を示す音声信号を発生して、出力音声切替部２１及び音声信号増幅部４を介して外部イヤホン５に出力する。
【００３７】
ステップＳ３２では、無線受信処理を開始し、ステップＳ３３で無線通話の無線信号が入感したか否かが判断され、ＹＥＳのときはステップＳ３４に進む一方、ＮＯのときはステップＳ４０に進む。ステップＳ４０では、無線受信処理を終了して図７ＡのステップＳ２に戻る。ステップＳ３４では、マイクロホン６からの会話の音声信号の入力があるか否か、すなわち、音声検出部１３がマイクロホン６に入力される音声信号のレベルが所定のしきい値以上であると判断して検出信号を出力したか否かが判断される。ステップＳ３４において、ＹＥＳのときはステップＳ３８に進む一方、ＮＯのときはステップＳ３５に進む。ステップＳ３８では、ミュートタイマーカウントの計数値に、ミュート保持時間（例えば３秒〜１０秒）に対応するデータ値をセットした後、ステップＳ３９において受信音声のミュートをオンにするように音声遮断・通過切替部３を制御し、ステップＳ３３に戻る。一方、ステップＳ３５では、ミュートタイマーカウントの計数値が０であるか否かが判断され、ＹＥＳのときはステップＳ３６進む一方、ＮＯのときはステップＳ３７に進む。ステップＳ３６では、受信音声のミュートをオフするように音声遮断・通過切替部３を制御し、ステップＳ３３に戻る。ステップＳ３７では、ミュートタイマーカウントの計数値を１だけデクリメントしてステップＳ３３に戻る。
【００３８】
以上説明したように、実施形態３によれば、当該無線通信装置がミュートオン中（会話中）に無線通信の相手方の無線通信装置の使用者からの無線通話送信を受信（着信）したが、無線通話ができないことを当該無線通信装置の使用者に伝えるため、着信有りを示す音声信号を伝えることができる。
【００３９】
（実施形態４）
図８Ａ及び図８Ｂは実施形態４に係る無線通信装置の制御部１０Ａにより実行される装置制御処理を示すフローチャートである。図８Ａ及び図８Ｂの装置制御処理は、図７Ａ及び図７Ｂの装置制御処理に比較して以下の点が異なる。なお、装置のブロック図は図５の構成を用いる。
【００４０】
（１）図７ＢのステップＳ４１及びＳ４２の処理を削除した。従って、ステップＳ３１でＹＥＳのとき、ステップＳ３２に進む。
（２）ステップＳ４０の後段に、ステップＳ５１〜Ｓ５５の処理を追加した。
（３）ステップＳ３８とステップＳ３９との間に、ステップＳ５６の処理を挿入した。
以下、前記相違点について詳述する。
【００４１】
図８ＢのステップＳ３８の処理の後、ステップＳ５６において、無線受信中のミュートオンである否かを示すミュートフラグをセットした後、ステップＳ３９に進む。
【００４２】
図８ＢのステップＳ４０で無線受信処理を終了した後、ステップＳ５１において、無線受信中のミュ−トフラグがセットされているか否かが判断され、ＹＥＳのときはステップＳ５２に進む一方、ＮＯのときは図８ＡのステップＳ２に戻る。ステップＳ５２では、当該無線通信装置の使用者が会話中で応答できないこと（応答不可能）を示す音声信号を音声信号発生部２２により発生させ、当該音声信号を変調音声切替部２４を介して変調送信部８に出力することで、当該音声信号に従って搬送波信号を変調し、無線送信を開始する。ステップＳ５３では、所定時間の前記音声信号の発生が終了したか否かが判断され、ＹＥＳとなったら、ステップＳ５４で無線送信を終了し、ステップＳ５５で無線受信中のミュートフラグをリセットした後、図８ＡのステップＳ２に戻る。
【００４３】
以上説明したように、実施形態４によれば、当該無線通信装置がミュートオン（会話中）のため、相手先の無線通信装置の使用者からの無線通話が聞けない状態だったことを、相手先の無線通信装置の使用者に伝えるため、相手先の無線通信装置からの無線通話終了時に応答できないことを示す音声信号に従って搬送波信号を変調することで、当該無線通信装置から無線送信することによって、相手先の無線通信装置の使用者に応答できないことを示す音声信号を用いて伝えることができる。すなわち、当該無線通信装置の使用者は会話中で応答できなかったことを相手先の無線通信装置の使用者に知らせることができる。
【００４４】
（実施形態５）
図９は実施形態５に係る無線通信装置の制御部１０Ａにより実行される装置制御処理を示すフローチャートである。図９の装置制御処理は、図４の装置制御処理に比較して以下の点が異なる。
（１）ステップＳ８の後段に、ステップＳ６１〜Ｓ６３の処理を追加した。
（２）ステップＳ１１の後段に、ステップＳ６４〜Ｓ６６の処理を追加した。
【００４５】
以下、前記相違点について詳述する。
【００４６】
図９のステップＳ１１の処理の後、ステップＳ６４において、音声信号発生部２２は会話開始を示す音声信号を発生して変調音声切替部２４を介して変調送信部８に出力する。このとき、当該音声信号に従って搬送波信号を変調して無線送信する。ステップＳ６５において、所定時間の当該音声信号が終了したか否かが判断され、ＹＥＳとなったらステップＳ６６で無線送信処理が終了し、ステップＳ２に戻る。
【００４７】
また、図９のステップＳ８の処理の後、ステップＳ６１において、音声信号発生部２２は会話終了を示す音声信号を発生して変調音声切替部２４を介して変調送信部８に出力する。このとき、当該音声信号に従って搬送波信号を変調して無線送信する。ステップＳ６２において、所定時間の当該音声信号が終了したか否かが判断され、ＹＥＳとなったらステップＳ６３で無線送信処理が終了し、ステップＳ２に戻る。
【００４８】
以上説明したように、実施形態５によれば、当該無線通信装置がミュートオンで当該使用者が会話中でのため、相手先の無線通信装置の使用者からの無線通話が聞けない状態であることを予め相手先の無線通信装置の使用者に伝えるため、会話開始及び会話終了を示す音声信号に従って搬送波信号を変調して当該無線通信装置から相手先の無線通信装置に無線送信することで、会話中であることを相手先の無線通信装置の使用者に会話開始及び会話終了を伝達することができる。
【００４９】
なお、会話開始及び会話終了を示す音声信号はこれら２つの音声信号のうちの少なくとも一方の音声信号に従って変調してもよい。
【００５０】
（実施形態６）
図１０は実施形態６に係る無線通信装置の制御部１０Ａにより実行される装置制御処理を示すフローチャートである。図１０の装置制御処理は、図４の装置制御処理に比較して以下の点が異なる。
（１）ステップＳ１１の後段に、ステップＳ７２の処理を追加した。
（２）ステップＳ８の後段に、ステップＳ７１を追加した。
以下、前記相違点について詳述する。
【００５１】
図１０のステップＳ１１の処理の後、ステップＳ７２において、自声モニターをオンにする。すなわち、自声モニター切替部２３は、制御部１０Ａからの制御信号に基づいて、音声信号増幅部７からのマイクロホン６により検出した、当該無線通信装置の使用者の会話音声等を含む音声信号を出力音声切替部２１に出力する。当該音声信号を出力音声切替部２１及び音声信号増幅部４を介して外部イヤホン５に出力することで自声モニターオンとなり、当該無線通信装置の使用者は、自分及び会話相手の音声を外部イヤホン５で聞くことができる。ステップＳ７２の処理の後、ステップＳ２に戻る。また、図１０のステップＳ８の処理の後、ステップＳ７１において、前記の自声モニターをオフとし、ステップＳ２に戻る。
【００５２】
なお、自声モニターにおいて、音声出力をスピーカで出力するときは、その出力がマイクロホン６に回り込むハウリングの可能性があり、そのときは、音声信号増幅部７又は４で利得を調整する必要がある。
【００５３】
以上説明したように、実施形態６によれば、当該無線通信装置の使用者が例えば会話中であるときに、マイクロホン６に入力された音声を外部イヤホン５に出力することで、送信時以外のときに、当該無線通信装置の使用者自身の声を自声モニターすることができる。これにより、会話の発声がしやすくなる発声アシスト機能を提供できる。
【００５４】
以上の各実施形態の態様要旨（発明特定事項）を互いに組み合わせて構成してもよい。
【産業上の利用可能性】
【００５５】
以上詳述したように、本発明に係る無線通信装置によれば、特に、無線受信しているときに通常では使用していないマイクロホン６を有効に活用して、その使用者の会話音声を検出することができる。これにより、例えばホテルのコンセルジュ、もしくは居酒屋の店員が顧客と会話中に、例えば業務連絡の無線受信音声を受ける場合（もしくは、その逆パターン）において、受信音声を自動的にミュートすることができ、手動操作で例えば
（１）無線通信装置Ｂの音量を手動操作で消音に変更し、
（２）無線通信装置Ｂの電源を手動操作でオフし、もしくは
（３）無線通信装置Ｂの内蔵スピーカを耳から遠ざけるか、もしくは外部イヤホンを耳からはずす
などの手動操作する必要が無いので、無線通信装置の操作性を大幅に向上できる。
【符号の説明】
【００５６】
１，９  アンテナ
２  受信復調部
３  音声遮断・通過切替部
４  音声信号増幅部
５  外部イヤホン
６  マイクロホン
７  音声信号増幅部
８  変調送信部
９  アンテナ
１０，１０Ａ  制御部
１０ｍ  内部メモリ
１１  操作部
１１Ａ  ＰＴＴキー
１３  音声検出部
２１  出力音声切替部
２２  音声信号発生部
２３  自声モニター切替部
２４  変調音声切替部
【図１】
2019195118.tif 000003
【図２】
2019195118.tif 000004
【図３】
2019195118.tif 000005
【図４】
2019195118.tif 000006
【図５】
2019195118.tif 000007
【図６】
2019195118.tif 000008
【図７Ａ】
2019195118.tif 000009
【図７Ｂ】
2019195118.tif 000010
【図８Ａ】
2019195118.tif 000011
【図８Ｂ】
2019195118.tif 000012
【図９】
2019195118.tif 000013
【図１０】
2019195118.tif 000014